(57)【要約】      （修正有）【課題】防水対策を施したベンチストッカーを提供する。【解決手段】ストッカー１０は、ストッカー本体１と天板２を備える。ストッカー本体１は、物品を内部に収納できる。天板２は、ストッカー本体１の上面を開閉でき、天板２を閉じたときは、ベンチとして使用できる。天板２は、略平行に配置された複数の平坦部材２ｓを有する。平坦部材２ｓは、第１係止縁を先端部から突出した第１樋状部材と、第２係止縁を先端部から第１係止縁と反対方向に突出した第２樋状部材を含んでいる。第１係止縁と第２係止縁が互いに係合して、天板２の表面から裏面に向けて隙間の無い状態では、第１樋状部材又は第２樋状部材のいずれか一方は、雨水を一方の端部又は両端部に導水できる。【選択図】図６
0003211772.tif 000002
【実用新案登録請求の範囲】
【請求項１】
一つ以上の物品を内部に収納自在に上面を開口した箱状のストッカー本体と、
前記ストッカー本体の一側部とヒンジで回動自在に連結した天板であって、この天板を開いたときは、物品を前記ストッカー本体の内部に出し入れでき、前記天板を閉じたときは、前記ストッカー本体の開口を閉止できると共に着座できる天板と、を備え、
前記天板は、
略平行に配置され、複数のパイプ状の平坦部材と、
これらの平坦部材の少なくとも両端部を裏面側から固定する一対のチャンネル部材と、を有し、
前記平坦部材は、
一方の側面から延出し、鉤状の第１係止縁を先端部から突出した第１樋状部材と、
他方の側面から延出し、鉤状の第２係止縁を先端部から前記第１係止縁と反対方向に突出した第２樋状部材と、を含み、
前記第１係止縁と前記第２係止縁が互いに係合している、ベンチストッカー。
【請求項２】
前記天板を前記ストッカー本体に施錠する施錠手段を更に備えている、請求項１記載のベンチストッカー。
【請求項３】
一端部を前記天板の裏面に係止し、他端部を前記ストッカー本体の内壁に係止した一つ以上のガススプリングを更に備えている、請求項１又は２記載のベンチストッカー。
【請求項４】
前記天板は、ＥＶＡ樹脂板を裏面に部分的に貼着している、請求項１から３のいずれかに記載のベンチストッカー。
【請求項５】
前記天板は、ゴムシートを裏面の外縁に貼着している、請求項１から４のいずれかに記載のベンチストッカー。
【請求項６】
前記ストッカー本体は、複数の柱部材と底板部材を一体に接合している、請求項１から５のいずれかに記載のベンチストッカー。
【請求項７】
前記天板の表面から裏面に向けて隙間の無い状態では、前記第１樋状部材又は前記第２樋状部材のいずれか一方は、雨水を一方の端部又は両端部に導水できる、請求項１から６のいずれかに記載のベンチストッカー。
【考案の詳細な説明】
【技術分野】
【０００１】
本考案は、ベンチストッカーに関する。特に、ベランダなどの屋外に設置自在な防水性を有するベンチストッカーであって、天板を開くことで、物品を内部に収納自在なストッカー（収納庫）として利用でき、天板を閉じることで、座席を有するベンチとして利用できる、ベンチストッカーの構造に関する。
【背景技術】
【０００２】
例えば、ドレッサーのキャビネットに設けた前面開口から出し入れができ、箱状のワゴン本体とその上部に開閉自在に連結した天板を備え、天板を開くことで、ワゴン本体の内部に物品を収納でき、天板を閉じることで、座席を有するベンチとして利用できる、ベンチワゴンが開示されている（例えば、特許文献１参照）。
【０００３】
又、公園や広場などの屋外に設置するのに好適な収納庫付きベンチであって、内部に防災備蓄物を収納できる横長の箱状形状の収納庫と、収納庫の上部を着脱自在に覆う蓋板を備え、蓋板を取り付けたときは、蓋板をベンチの着座部として利用できる、収納庫付きベンチが開示されている（例えば、特許文献２参照）。
【先行技術文献】
【特許文献】
【０００４】
【特許文献１】特開２００８−１８８０９３号公報
【特許文献２】特開平１１−２２５８５３号公報
【考案の概要】
【考案が解決しようとする課題】
【０００５】
しかし、特許文献１によるベンチワゴンは、主に室内で使用することに限定され、ベランダなどの屋外に設置すると、ワゴン本体の内部に雨水が進入する心配がある。ベランダなどの屋外に設置するのに相応しい、防水対策を施したベンチストッカーが求められている。
【０００６】
一方、特許文献２による収納庫付きベンチは、公園や広場などの屋外に設置するので、収納庫と蓋板の間から雨水が進入しないように防水手段を講じておくべきであると、しているが、収納庫から防災備蓄物を出し入れするために、蓋板を一旦取り外す必要があるので、不便であるという問題がある。ベンチとストッカーの切り換えが容易なベンチストッカーが求められている。そして、以上のことが本考案の課題といってよい。
【０００７】
本考案は、このような課題に鑑みてなされたものであり、ベンチとストッカーの切り換えが容易なベンチストッカーであって、ベランダなどの屋外に設置するのに相応しい、防水対策を施したベンチストッカーを提供することを目的とする。
【課題を解決するための手段】
【０００８】
本考案者は、ストッカー本体とヒンジで回動自在に連結した天板でベンチストッカーを構成し、略平行に配置された複数の平坦部材で天板を構成し、これらの平坦部材を鉤状の第１樋状部材と第２樋状部材で隙間なく係合することで、天板への雨水を天板の一方の端部又は両端部に導水できると考え、これに基づいて、以下のような新たなベンチストッカーを考案するに至った。
【０００９】
（１）本考案によるベンチストッカーは、一つ以上の物品を内部に収納自在に上面を開口した箱状のストッカー本体と、前記ストッカー本体の一側部とヒンジで回動自在に連結した天板であって、この天板を開いたときは、物品を前記ストッカー本体の内部に出し入れでき、前記天板を閉じたときは、前記ストッカー本体の開口を閉止できると共に着座できる天板と、を備え、前記天板は、略平行に配置され、複数のパイプ状の平坦部材と、これらの平坦部材の少なくとも両端部を裏面側から固定する一対のチャンネル部材と、を有し、前記平坦部材は、一方の側面から延出し、鉤状の第１係止縁を先端部から突出した第１樋状部材と、他方の側面から延出し、鉤状の第２係止縁を先端部から前記第１係止縁と反対方向に突出した第２樋状部材と、を含み、前記第１係止縁と前記第２係止縁が互いに係合している。
【００１０】
（２）本考案によるベンチストッカーは、前記天板を前記ストッカー本体に施錠する施錠手段を更に備えていることが好ましい。
【００１１】
（３）本考案によるベンチストッカーは、一端部を前記天板の裏面に係止し、他端部を前記ストッカー本体の内壁に係止した一つ以上のガススプリングを更に備えていることが好ましい。
【００１２】
（４）前記天板は、ＥＶＡ樹脂板を裏面に部分的に貼着していることが好ましい。
【００１３】
（５）前記天板は、ゴムシートを裏面の外縁に貼着していることが好ましい。
【００１４】
（６）前記ストッカー本体は、複数の柱部材と底板部材を一体に接合していることが好ましい。
【００１５】
（７）前記天板の表面から裏面に向けて隙間の無い状態では、前記第１樋状部材又は前記第２樋状部材のいずれか一方は、雨水を一方の端部又は両端部に導水できることが好ましい。
【考案の効果】
【００１６】
本考案によるベンチストッカーは、物品を内部に収納自在なストッカー本体と、ストッカー本体とヒンジで回動自在に連結した天板を備え、略平行に配置された複数の平坦部材で天板を構成し、これらの平坦部材を鉤状の第１樋状部材と第２樋状部材で隙間なく係合することで、天板への雨水を天板の一方の端部又は両端部に導水できるので、ベンチとストッカーの切り換えが容易であり、防水対策を施したベンチストッカーを提供できる。
【図面の簡単な説明】
【００１７】
【図１】本考案の一実施形態によるベンチストッカーの構成を示す斜視図であり、天板を閉じてベンチとして使用できる状態図である。
【図２】前記実施形態によるベンチストッカーに備わる天板を閉じた状態図であり、図２（Ａ）は、ベンチストッカーの正面図、図２（Ｂ）は、ベンチストッカーの平面図、図２（Ｃ）は、ベンチストッカーの左側面図である。
【図３】前記実施形態によるベンチストッカーに備わる天板を閉じた状態図であり、図３（Ａ）は、ベンチストッカーの背面図、図３（Ｂ）は、ベンチストッカーの下面図、図３（Ｃ）は、図３（Ａ）の左側面図である。
【図４】図２（Ｂ）のＡ−Ａ矢視を拡大した断面図である。
【図５】図２（Ｂ）のＢ−Ｂ矢視を拡大した断面図である。
【図６】前記実施形態によるベンチストッカーの構成を示す斜視図であり、天板を開いた状態図である。
【図７】前記実施形態によるベンチストッカーに備わる天板を拡大した縦断面図である。
【図８】前記実施形態によるベンチストッカーの構成を示す正面図であり、天板を開いた状態図である。
【図９】前記実施形態によるベンチストッカーの構成を示す左側面図であり、天板を開いた状態図である。
【考案を実施するための形態】
【００１８】
以下、図面を参照して本考案を実施するための形態を説明する。
［ベンチストッカーの構成］
最初に、本考案の一実施形態によるベンチストッカーの構成を説明する。
【００１９】
図１は、本考案の一実施形態によるベンチストッカーの構成を示す斜視図であり、天板を閉じてベンチとして使用できる状態図である。
【００２０】
図２は、前記実施形態によるベンチストッカーに備わる天板を閉じた状態図であり、図２（Ａ）は、ベンチストッカーの正面図、図２（Ｂ）は、ベンチストッカーの平面図、図２（Ｃ）は、ベンチストッカーの左側面図である。
【００２１】
図３は、前記実施形態によるベンチストッカーに備わる天板を閉じた状態図であり、図３（Ａ）は、ベンチストッカーの背面図、図３（Ｂ）は、ベンチストッカーの下面図、図３（Ｃ）は、図３（Ａ）の左側面図である。
【００２２】
図４は、図２（Ｂ）のＡ−Ａ矢視を拡大した断面図である。図５は、図２（Ｂ）のＢ−Ｂ矢視を拡大した断面図である。
【００２３】
図６は、前記実施形態によるベンチストッカーの構成を示す斜視図であり、天板を開いた状態図である。図７は、前記実施形態によるベンチストッカーに備わる天板を拡大した縦断面図である。
【００２４】
図８は、前記実施形態によるベンチストッカーの構成を示す正面図であり、天板を開いた状態図である。図９は、前記実施形態によるベンチストッカーの構成を示す左側面図であり、天板を開いた状態図である。
【００２５】
（全体構成）
図１から図９を参照すると、本考案の一実施形態によるベンチストッカー（以下、ストッカーと略称する）１０は、箱状のストッカー本体１と平坦な天板２を備えている。ストッカー本体１は、上面を開口している（図６参照）。そして、ストッカー本体１は、一つ以上の物品（図示せず）を内部に収納できる。
【００２６】
図６又は図８を参照すると、天板２は、ストッカー本体１の一側部と一対のヒンジ１２ｈ・１２ｈで回動自在に連結している。図６又は図８及び図９を参照して、天板２を開いたときは、図示しない物品をストッカー本体１の内部に出し入れできる。
【００２７】
図１から図５を参照して、天板２を閉じたときは、ストッカー本体１の開口を閉止できる、と共に天板２に着座できる。つまり、天板２を閉じたときは、ストッカー１０をベンチとして使用できる。
【００２８】
図１から図９を参照すると、天板２は、五つの角パイプ状のスラット部材２ｓ、一対のチャンネル部材２１ｃ・２１ｃ、及び、単一のチャンネル部材２２ｃを備えている。複数のスラット部材２ｓは、それらの長手方向に沿って略平行に配置している。又、複数のスラット部材２ｓは、適度の隙間を設けて配置している。更に、複数のスラット部材２ｓの両端部は、キャップ部材２ｃで封鎖している。スラット部材は平坦部材となる。角パイプ状のスラット部材は、ここでは、幅方向の断面が、両端が半円状である長方形となっているが、これに限定されず、例えば、断面が長方形又は角Ｒ付きの長方形であってもよい。
【００２９】
図６又は図８を参照すると、一対のチャンネル部材２１ｃ・２１ｃは、複数のスラット部材２ｓの両端部に配置している。一対のチャンネル部材２１ｃ・２１ｃは、複数のスラット部材２ｓをその裏面側からネジにより固定している。
【００３０】
図６又は図８を参照すると、チャンネル部材２２ｃは、複数のスラット部材２ｓの中央部に配置している。チャンネル部材２２ｃは、複数のスラット部材２ｓをその裏面側からネジにより固定している。
【００３１】
図７を参照すると、スラット部材２ｓは、第１樋状部材２１ｓと第２樋状部材２２ｓを有している。第１樋状部材２１ｓは、スラット部材２ｓの一方の側面から延出している。又、第１樋状部材２１ｓは、鉤状の第１係止縁２１１を先端部からスラット部材２ｓの裏面に向けて突出している。
【００３２】
図７を参照すると、第２樋状部材２２ｓは、スラット部材２ｓの他方の側面から延出している。又、第２樋状部材２２ｓは、鉤状の第２係止縁２２１を先端部から第１係止縁２１１と反対方向に突出している。
【００３３】
図７を参照して、第１係止縁２１１と第２係止縁２２１が互いに係合して、天板２の表面から裏面に向けて隙間の無い状態では、第１樋状部材２１ｓ又は第２樋状部材２２ｓのいずれか一方は、雨水を第１樋状部材２１ｓ又は第２樋状部材２２ｓの一方の端部又は両端部に導水できる。これにより、図１を参照して、天板２を閉じた状態では、雨水がストッカー本体１の内部に進入しないよう、ストッカー１０を防水できる。
【００３４】
実施形態によるストッカー１０は、物品を内部に収納自在なストッカー本体１と、ストッカー本体１とヒンジ１２ｈで回動自在に連結した天板２を備え、略平行に配置された複数のスラット部材２ｓで天板２を構成し、これらのスラット部材２ｓを鉤状の第１樋状部材２１ｓと第２樋状部材２２ｓで隙間なく係合することで、天板２への雨水を天板２の一方の端部又は両端部に導水できるので、ベンチとストッカーの切り換えが容易であり、防水対策を施したベンチストッカーを提供できる。
【００３５】
（ストッカー本体の構成）
次に、実施形態によるストッカー本体１の構成を説明する。図１から図６を参照すると、ストッカー本体１は、四つの四角柱状の柱部材１ａ・１ｂ・１ｃ・１ｄを備えている。これらの柱部材１ａ・１ｂ・１ｃ・１ｄは、アルミニウム合金製の押出形材からなることが好ましい。
【００３６】
図１から図６を参照すると、複数の柱部材１ａ・１ｂ・１ｃ・１ｄの下部には、レベルフット１１ｆを取り付けている。又、複数の柱部材１ａ・１ｂ・１ｃ・１ｄの上部には、キャップ部材１１ｃを取り付けている（図６又は図８及び図９参照）。
【００３７】
図１から図６を参照すると、一組の柱部材１ａ・１ｂは、ストッカー本体１の前面側に配置している。一組の柱部材１ｃ・１ｄは、ストッカー本体１の後面側に配置している。
【００３８】
図１から図３を参照すると、ストッカー本体１は、四つのアングル状の下枠部材１ｅ・１ｆ・１ｇ・１ｈを更に備えている。一方の下枠部材１ｅは、柱部材１ａと柱部材１ｂを下部側で連結している。同様に、他方の下枠部材１ｆは、柱部材１ｃと柱部材１ｄを下部側で連結している。
【００３９】
図１から図３を参照すると、更に、下枠部材１ｇは、柱部材１ａと柱部材１ｃを下部側で連結し、下枠部材１ｈは、柱部材１ａと柱部材１ｄを下部側で連結している。このように、四つの下枠部材１ｅ・１ｆ・１ｇ・１ｈは、柱部材１ａ・１ｂ・１ｃ・１ｄの骨格が歪まないように下部側で連結している。
【００４０】
図４又は図５を参照すると、底板部材１１１は、柱部材１ａ・１ｂ・１ｃ・１ｄに溶接で接合されていると共に、四つの下枠部材１ｅ・１ｆ・１ｇ・１ｈに溶接で接合されている。このように、複数の柱部材１ａ・１ｂ・１ｃ・１ｄと底板部材１１１を一体に接合することで、後述するパネルの組立が容易になる。
【００４１】
又、図１から図５を参照すると、ストッカー本体１は、矩形の前面パネル１１ｐ、矩形の後面パネル１２ｐ、及び、一対の矩形の側面パネル１３ｐ・１３ｐを備えている。前面パネル１１ｐは、一組の柱部材１ａ・１ｂと下枠部材１ｅで三方が囲われている。後面パネル１２ｐは、一組の柱部材１ｃ・１ｄと下枠部材１ｆで三方が囲われている。
【００４２】
図１から図５を参照すると、一方の側面パネル１３ｐは、一組の柱部材１ａ・１ｃと下枠部材１ｇで三方が囲われている。他方の側面パネル１３ｐは、一組の柱部材１ｂ・１ｄと下枠部材１ｆで三方が囲われている。
【００４３】
図１から図５を参照すると、ストッカー本体１は、四つのアングル状の上枠部材１ｉ・１ｊ・１ｋ・１ｍを更に備えている。一方の上枠部材１ｉは、柱部材１ａと柱部材１ｂを上部側で連結している。又、一方の上枠部材１ｉは、前面パネル１１ｐを上方から覆っている。
【００４４】
同様に、図１から図５を参照すると、他方の上枠部材１ｊは、柱部材１ｃと柱部材１ｄを上部側で連結している。又、他方の上枠部材１ｊは、後面パネル１２ｐを上方から覆っている。
【００４５】
図１から図５を参照すると、上枠部材１ｋは、柱部材１ａと柱部材１ｃを上部側で連結している。又、上枠部材１ｋは、一方の側面パネル１３ｐを上方から覆っている。上枠部材１ｍは、柱部材１ｂと柱部材１ｄを上部側で連結している。又、上枠部材１ｍは、他方の側面パネル１３ｐを上方から覆っている。このように、ストッカー本体１は、上枠部材１ｉ・１ｊ・１ｋ・１ｍは、柱部材１ａ・１ｂ・１ｃ・１ｄの上部側を連結し、箱状の骨格を形成している。
【００４６】
（施錠手段の構成）
次に、ストッカー１０に備わる実施形態による施錠手段の構成を説明する。図２（Ａ）又は図２（Ｃ）及び図６を参照すると、ストッカー本体１は、Ｌ字状の第１施錠金具１１ｋを柱部材１ａの上部に固定している。第１施錠金具１１ｋは、その一片の施錠穴を開口している。一方、天板２は、Ｌ字状の第２施錠金具２１ｋを裏面に固定している。第１施錠金具１１ｋは、その一片の施錠穴を開口している。は、その一片の施錠穴を開口している。
【００４７】
図２（Ａ）を参照して、ストッカー本体１に対して、天板２を閉じた状態では、第１施錠金具１１ｋと第２施錠金具２１ｋの一片同士を近接又は当接できる。そして、図示しない南京錠の掛け金を第１施錠金具１１ｋの施錠穴と第２施錠金具２１ｋの施錠穴に挿通し、掛け金を南京錠本体にロックすることで、ストッカー本体１に対して、天板２が開かないように施錠できる。
【００４８】
このように、ストッカー１０は、南京錠などを用いて、天板２をストッカー本体１に施錠する施錠手段となる第１施錠金具１１ｋと第２施錠金具２１ｋを備えている。
【００４９】
（ガススプリングの構成）
次に、ストッカー１０に備わるガススプリング３の構成を説明する。図６又は図８及び図９を参照すると、ストッカー１０は、ガススプリング３を更に備えている。ガススプリング３は、その一端部を天板２の裏面に係止している。又、ガススプリング３は、その他端部をストッカー本体１の内壁に係止している。
【００５０】
図１を参照して、ストッカー本体１に対して天板２を閉じた状態から、天板２を開く過程では（図６参照）、ガススプリング３は、天板２を開く力を援助できる。一方、図１を参照して、ストッカー本体１に対して天板２を開いた状態から、天板２を閉じる過程では（図１参照）、ガススプリング３は、天板２を閉じる速度を緩慢にできる。
【００５１】
図６又は図８及び図９を参照すると、このように、ガススプリング３は、天板２の開閉速度を穏やかにでき、天板２の開閉に起因する衝撃音を低減できる。ガススプリング３は、実施形態に限定されることなく、二つ設けることもできる。
【００５２】
（天板の構成）
（ＥＶＡ樹脂板の構成）
次に、実施形態による天板２の構成を説明する。図６又は図８を参照すると、天板２は、四つの円形のＥＶＡ樹脂板（Ｅｔｈｙｌｅｎｅ−Ｖｉｎｙｌ  Ａｃｅｔａｔｅ  Ｃｏｐｏｌｙｍｅｒ：エチレン−酢酸ビニル共重合樹脂）２３を裏面に貼着している。四つのＥＶＡ樹脂板２３は、一対のチャンネル部材２１ｃ・２１ｃを介して、天板２の裏面に貼着している。
【００５３】
ＥＶＡ樹脂は、低温特性に優れ、寒い場所などでも硬くならず、弾力性に優れている。又、ＥＶＡ樹脂は、耐久性に優れ、風雨や紫外線を浴び続けても劣化しにくい特徴を有している。ＥＶＡ樹脂板２３は、屋外に設置するストッカー１０に好適である。
【００５４】
図６又は図８を参照すると、四つのＥＶＡ樹脂板２３は、キャップ部材１１ｃの上面に当接する位置に貼着している。これにより、ストッカー本体１に対して天板２を閉じたときの衝撃音を低減できる。なお、キャップ部材１１ｃもＥＶＡ樹脂で構成することが好ましい。
【００５５】
（ゴムシートの構成）
次に、実施形態によるゴムシートの構成を説明する。図６又は図８を参照すると、天板２は、一対の帯状のゴムシート２４・２４と一組の帯状のゴムシート２５・２５を備えている。一対のゴムシート２４・２４は、一対のチャンネル部材２１ｃ・２１ｃを介して、天板２の裏面に貼着している。一組のゴムシート２５・２５は、チャンネル部材２２ｃに跨って、天板２の前部側の裏面に貼着している。
【００５６】
図６又は図８を参照すると、一対のゴムシート２４・２４は、一対の上枠部材１ｋ・１ｍの上面に当接する位置に貼着している。一組のゴムシート２５・２５は、上枠部材１ｉの上面に当接する位置に貼着している。これらにより、指などを不用意に天板２と上枠部材の間に挟んだときに、指などを保護できる。天板２と上枠部材をゴムシートで封鎖することで、天板２を閉じたときに雨水の進入を阻止できる。
【００５７】
［ベンチストッカーの作用］
次に、実施形態によるストッカー１０の作用及び効果を説明する。図１から図９を参照すると、実施形態によるストッカー１０は、物品を内部に収納自在なストッカー本体１と、ストッカー本体１とヒンジ１２ｈで回動自在に連結した天板２を備え、略平行に配置された複数のスラット部材２ｓで天板２を構成し、これらのスラット部材２ｓを鉤状の第１樋状部材２１ｓと第２樋状部材２２ｓで隙間なく係合することで、天板２への雨水を天板２の一方の端部又は両端部に導水できるので、ベンチとストッカーの切り換えが容易であり、防水対策を施したベンチストッカーを提供できる。
【００５８】
図７を参照すると、実施形態による天板２は、複数のスラット部材２ｓの隙間を調整することができ、奥行き方向のサイズが異なる天板２を用意することが容易である。
【００５９】
図２（Ａ）又は図２（Ｃ）及び図６を参照すると、ストッカー１０は、南京錠などを用いて、天板２をストッカー本体１に施錠する施錠手段となる第１施錠金具１１ｋと第２施錠金具２１ｋを備えているので、ストッカー本体１の内部に安心して物品を保管できる。
【００６０】
図６又は図８及び図９を参照すると、ストッカー１０は、ガススプリング３を更に備えているので、天板２の開閉速度を穏やかにでき、天板２の開閉に起因する衝撃音を低減できる。
【００６１】
図６又は図８を参照すると、天板２は、ＥＶＡ樹脂板２３を裏面に部分的に貼着しているので、ストッカー本体１に対して天板２を閉じたときの衝撃音を低減できる。又、天板は、一対のゴムシート２４・２４及び一組のゴムシート２５・２５を裏面の外縁に貼着しているので、指などを保護でき、天板２を閉じたときに雨水の進入を阻止できる。
【００６２】
図４又は図５を参照すると、ストッカー本体１は、数の柱部材１ａ・１ｂ・１ｃ・１ｄと底板部材１１１を一体に接合しているので、パネルの組立が容易である。
【００６３】
本考案は、ベランダなどの屋外に設置するのに好適なベンチストッカーを開示したが、本考案によるベンチストッカーは、美観に優れ、室内で使用するのに好適なベンチワゴンに応用することが期待される。
【符号の説明】
【００６４】
１  ストッカー本体
２  天板
２ｓ  スラット部材
１０  ストッカー（ベンチストッカー）
２１ｃ  チャンネル部材
２１ｓ  第１樋状部材
２２ｃ  チャンネル部材
２２ｓ  第２樋状部材
２１１  第１係止縁
２２１  第２係止縁
【図１】
0003211772.tif 000003
【図２】
0003211772.tif 000004
【図３】
0003211772.tif 000005
【図４】
0003211772.tif 000006
【図５】
0003211772.tif 000007
【図６】
0003211772.tif 000008
【図７】
0003211772.tif 000009
【図８】
0003211772.tif 000010
【図９】
0003211772.tif 000011